(57)【要約】【課題】無線タグのような無線装置における動作時の省電力化を図ることにより、電源電池の長寿命化を可能にする。【課題の解決手段】無線タグＴ１〜Ｔｎは、送信部１、受信部２、タイマ３、メモリ４、マイコン５、電源電池６、ＡＤ変換器７、センサ８を備えてなり、メモリ４には、あらかじめ設定したＩＤと、同じくあらかじめ設定した応答（送信）順位と、センサ８で検出してＡＤ変換器７でデジタル化した検出データと比較するための基準データとを格納し、タイマ３によって送信開始時間を設定し、ＩＤの送信においては、択一的に選択される、ＩＤの全てを送信するモードと、その一部のみを送信するモードとを有する一方、検出データの送信においては、択一的に選択される、検出データの全てを送信するモードと、マイコンで検出データと基準データとを比較演算した結果に基づくデータのみを送信するモードとを有するものである。【選択図】  図１
2006108755.tif 000002
【特許請求の範囲】
【請求項１】
送信部及び／又は受信部を有し、タイマ、記憶部、制御部、電源電池を備えてなり、
ＩＤを送信する送信部を有する場合には、前記記憶部に、あらかじめ設定したＩＤと送信順位とを格納するとともに、前記タイマによって送信開始時間を設定し、ＩＤの送信及び／又は受信においては、択一的に選択される、ＩＤの全てを送信及び／又は受信するモードと、その一部のみを送信及び／又は受信するモードとを有する
ことを特徴とする無線装置。
【請求項２】
送信部及び／又は受信部を有し、ＡＤ変換器、センサ、記憶部、制御部、電源電池を備えてなり、
ＩＤを送信する送信部を有する場合には、前記記憶部に、あらかじめ設定したＩＤと、前記センサで検出して前記ＡＤ変換器でデジタル化した検出データと比較するための基準データとを格納し、検出データの送信及び／又は受信においては、択一的に選択される、検出データの全てを送信及び／又は受信するモードと、前記制御部で検出データと基準データとを比較演算した結果に基づくデータのみを送信及び／又は受信するモードとを有する
ことを特徴とする無線装置。
【請求項３】
送信部と、受信部と、ＡＤ変換器と、センサと、記憶部と、制御部と、電源電池とを有し、
前記記憶部には、あらかじめ設定したＩＤと、前記センサで検出して前記ＡＤ変換器でデジタル化した検出データと比較するための基準データとを格納し、前記制御部で検出データと基準データとを比較演算した結果のデータとともに他の無線装置から送信された信号を受信して解読してデータとして前記記憶部に一旦格納し、その後データを送信する
ことを特徴とする無線装置。
【請求項４】
請求項１または請求項２に記載の無線装置を複数と、これら無線装置が送信したデータの受信を行う無線受信機を少なくとも１つ備え、
前記各無線装置があらかじめ設定された多元接続方式に基づいて前記無線受信機に送信し、前記無線装置間のデータ送信の衝突を避ける無線送受信システム。
【請求項５】
多元接続方式は時分割多元接続方式であり、ＩＤ又は検出データの全てを送信しないモードにおいては、全てを送信するモードに比べて、各無線装置の送信開始時間の間隔を短く設定することを特徴とする前記請求項４記載の無線送受信システム。
【請求項６】
請求項１または請求項２に記載の無線装置を複数と、これら無線装置が送信したデータの受信を行うとともに、送信順位によって無線装置を特定しうる無線受信機を少なくとも１つ備え、
前記各無線装置は、ＩＤに換えて乱数発生器などで作成したダミーデータ又はＩＤ以外の正規の送信データを送信し、前記無線受信機側ではダミーデータの場合はこれを無視し、又ＩＤ以外の正規の送信データの場合はこれを送信データとして処理することを特徴とする無線送受信システム。
【請求項７】
無線受信機が請求項３に記載の無線装置であることを特徴とする前記請求項４または請求項６に記載の無線送受信システム。
【請求項８】
無線受信機は請求項３に記載の無線装置であり、多元接続方式は時分割多元接続方式であって、ＩＤ又は検出データの全てを送信しないモードにおいては、全てを送信するモードに比べて、各無線装置の送信開始時間の間隔を短く設定することを特徴とする前記請求項４記載の無線送受信システム。
【発明の詳細な説明】
【技術分野】
【０００１】
本発明は、内部に電源電池を備えた無線装置及びこの無線装置を少なくとも１つ有する無線送受信システムに関し、例えば、各種商品に取り付けて、その存在や位置を検出し、各種商品の管理を行うための無線タグからなる無線装置及びこの無線タグを用いた無線送受信システムに関する。なお、本発明において無線装置とは、無線送信機能及び／又は無線受信機能を有する装置を意味する。
【背景技術】
【０００２】
従来のこの種無線タグでは、通常は省電力モードに設定しておき、読み取り機からのコマンド信号に応じて、動作モードに切り替わるよう構成している。
【特許文献１】特開２００３−１１５０３３号公報
【発明の開示】
【発明が解決しようとする課題】
【０００３】
ところが、この従来技術によると、電力を使用しない非動作時の省電力を考慮するに止まり、電力を使用する動作時の省電力については何らの考慮もしていないので、無線装置である無線タグにおける電源電池の寿命はそれほど延びないという不都合があった。
【０００４】
本発明は、上述した従来の不都合を解消し、無線装置における動作時における省電力化を図ることにより、電源電池の長寿命化を可能にした無線装置及びこの無線装置を用いた無線送受信システムを提供することを目的とする。
【課題を解決するための手段】
【０００５】
上述した目的を達成するため、本発明の請求項１に係る無線装置は、送信部及び／又は受信部を有し、タイマ、記憶部、制御部、電源電池を備えてなり、ＩＤを送信する送信部を有する場合には、前記記憶部に、あらかじめ設定したＩＤと送信順位とを格納するとともに、前記タイマによって送信開始時間を設定し、ＩＤの送信及び／又は受信においては、択一的に選択される、ＩＤの全てを送信及び／又は受信するモードと、その一部のみを送信及び／又は受信するモードとを有するものである。
【０００６】
同じく上述した目的を達成するため、本発明の請求項２に係る無線装置は、送信部及び／又は受信部を有し、ＡＤ変換器、センサ、記憶部、制御部、電源電池を備えてなり、ＩＤを送信する送信部を有する場合には、前記記憶部に、あらかじめ設定したＩＤと、前記センサで検出して前記ＡＤ変換器でデジタル化した検出データと比較するための基準データとを格納し、検出データの送信及び／又は受信においては、択一的に選択される、検出データの全てを送信及び／又は受信するモードと、前記制御部で検出データと基準データとを比較演算した結果に基づくデータのみを送信及び／又は受信するモードとを有するものである。
【０００７】
同じく上述した目的を達成するため、本発明の請求項３に係る無線装置は、送信部と、受信部と、ＡＤ変換器と、センサと、記憶部と、制御部と、電源電池とを有し、前記記憶部には、あらかじめ設定したＩＤと、前記センサで検出して前記ＡＤ変換器でデジタル化した検出データと比較するための基準データとを格納し、前記制御部で検出データと基準データとを比較演算した結果のデータとともに他の無線装置から送信された信号を受信して解読してデータとして前記記憶部に一旦格納し、その後データを送信するものである。
【０００８】
同じく上述した目的を達成するため、本発明の請求項４に係る無線送受信システムは、請求項１または請求項２に記載の無線装置を複数と、これら無線装置が送信したデータの受信を行う無線受信機を少なくとも１つ備え、前記各無線装置があらかじめ設定された多元接続方式に基づいて前記無線受信機に送信し、前記無線装置間のデータ送信の衝突を避けるものである。
【０００９】
同じく上述した目的を達成するため、本発明の請求項５に係る無線送受信システムは、上記請求項４記載の無線送受信システムにおいて、多元接続方式は時分割多元接続方式であり、ＩＤ又は検出データの全てを送信しないモードにおいては、全てを送信するモードに比べて、各無線装置の送信開始時間の間隔を短く設定するものである。
【００１０】
同じく上述した目的に加え本発明の無線装置を取り付けた物品の盗難防止のためＩＤが盗まれることを防止することを目的として、本発明の請求項６に係る無線送受信システムは、請求項１または請求項２に記載の無線装置を複数と、これら無線装置が送信したデータの受信を行うとともに、送信順位によって無線装置を特定しうる無線受信機を少なくとも１つ備え、前記各無線装置は、ＩＤに換えて乱数発生器などで作成したダミーデータ又はＩＤ以外の正規の送信データを送信し、前記無線受信機側ではダミーデータの場合はこれを無視し、又ＩＤ以外の正規の送信データの場合はこれを送信データとして処理するものである。
【００１１】
同じく上述した目的を達成するために、本発明の請求項７に係る無線送受信システムは、請求項４または請求項６に記載の無線送受信システムの構成において、無線受信機が請求項３に記載の無線装置であることを特徴とする。
【００１２】
同じく上述した目的を達成するために、本発明の請求項８に係る無線送受信システムは、請求項４記載の無線送受信システムの構成において、無線受信機は請求項３に記載の無線装置であり、多元接続方式は時分割多元接続方式であって、ＩＤ又は検出データの全てを送信しないモードにおいては、全てを送信するモードに比べて、各無線装置の送信開始時間の間隔を短く設定することを特徴とする。
【発明の効果】
【００１３】
本発明の請求項１に係る無線装置によれば、ＩＤの一部のビットのみを送信及び／又は受信するモードを選択することによって、全ビットを送信及び／又は受信する場合に比べて送信時間を短縮することができるので、電源電池の長寿命化が可能になるという効果を奏する。
【００１４】
また、本発明の請求項２に係る無線装置によれば、検出データを基準データと比較して演算処理し、演算結果に基づくデータのみを送信及び／又は受信するモードを選択することによって、検出データを全ビット送信及び／又は受信する場合に比べて送信及び／又は受信時間を短縮することができるので、電源電池の長寿命化が可能になるほか、演算結果に基づく検出データを無線装置の記憶部に一旦格納しておき、後でまとめて送信及び／又は読み出して使用する場合に、同一のメモリ容量で、より大量のデータを格納できるという効果を奏する。
【００１５】
さらに、本発明の請求項３に係る無線装置によれば、記憶部にデータを格納する場合に、同一のメモリ容量でより大量のデータを格納できるとともに、送信する場合の時間を短縮できるという効果を奏する。
【００１６】
またさらに、本発明の請求項４に係る無線送受信システムによれば、送信時間を短縮して無線送信機の電源電池の長寿命化が可能となるので、多数の無線送信機を使用する無線送受信システムにおける電池交換管理が省力化できるという効果を奏する。また、受信機側も電源が電池である場合には、受信時間を短縮して同様に電源電池の長寿命化が可能となり電池交換管理が省力化できるという効果を奏する。
【００１７】
さらにまた、本発明の請求項５に係る無線送受信システムによれば、１つの周波数に割り当てる無線送信機の数を多くすることができるという効果を奏する。
【００１８】
さらに、本発明の請求項６に係る無線送受信システムによれば、送信時にＩＤが読み取られることを防止できるので、盗難防止用の無線送信機に利用すると好適であるという効果を奏する。
【００１９】
また、本発明の請求項７に係る無線送受信システムによれば、送信時間を短縮して無線送信機の電源電池の長寿命化が可能となるので、多数の無線送信機を使用する無線送受信システムにおける電池交換管理が省力化できるという効果を奏する。さらに、受信機側も受信時間を短縮して同様に電源電池の長寿命化が可能となり電池交換管理が省力化できるほか、記憶部にデータを格納する場合に、同一のメモリ容量でより大量のデータを格納できるとともに、格納したデータ送信する場合の時間を短縮できるという効果を奏する。
【００２０】
またさらに、本発明の請求項８に係る無線送受信システムによれば、送信時間を短縮して無線送信機の電源電池の長寿命化が可能となるので、多数の無線送信機を使用する無線送受信システムにおける電池交換管理が省力化できるという効果を奏する。また、受信機側も受信時間を短縮して同様に電源電池の長寿命化が可能となり電池交換管理が省力化できるほか、記憶部にデータを格納する場合に、同一のメモリ容量でより大量のデータを格納できるとともに、送信する場合の時間を短縮できるという効果を奏する。さらには、１つの周波数に割り当てる無線送信機の数を多くすることができるという効果を奏する。
【発明を実施するための最良の形態】
【００２１】
以下、本発明の無線装置をアクティブタイプの無線タグに適用した場合の好適な実施形態について添付図面を参照して説明する。図１は本発明に係る無線タグシステムの構成を示すブロック図であり、無線タグシステムは、無線送信機として機能する無線装置である複数の無線タグＴ１〜Ｔｎと、これら無線タグＴ１〜Ｔｎが送信したデータの受信を行う複数の無線受信機であるリーダ／ライタＲＷ１〜ＲＷｍを備える。前記各無線タグＴ１〜Ｔｎには一つの周波数をｎ個に時分割した時間帯がそれぞれ割り当てられ、前記各無線タグＴ１〜Ｔｎが前記リーダ／ライタＲＷ１〜ＲＷｍに送信する際に、前記各無線タグＴ１〜Ｔｎ間のデータ送信の衝突を避けるものである。
【００２２】
なお、無線タグＴ１〜Ｔｎの個数が多い場合には、無線タグＴ１〜Ｔｎをグループ分けして、グループ毎に一つの周波数を割り当ててもよい。このグループ分けは、送信するリーダ／ライタＲＷ１〜ＲＷｍ毎に行ってもよく、この場合には、本実施形態ではｍ個の周波数が必要となる。
【００２３】
各無線タグＴ１〜Ｔｎの構成は同一なので、無線タグＴ１についてのみ説明する。無線タグＴ１は、送信部１、受信部２，タイマ３、記憶部であるメモリ４、制御部であるマイコン５、電源電池６、ＡＤ変換器７、センサ８、アンテナ９を備えている。前記メモリ４には、無線タグＴ１のＩＤ、時分割多元接続に対応すべく割り当てられた応答（送信）順位、センサ８の測定値と比較演算するための基準データである比較用データなどを格納している。また、タイマ３は応答（送信）順位に応じて無線タグＴ１のＩＤ送信開始時間を設定する。前記センサ８は、本実施形態においては無線タグＴ１が取り付けられた物体の温度を検出するもので、検出値であるアナログ信号は、前記ＡＤ変換器７によりデジタル信号に変換される。
【００２４】
無線タグＴ１の動作は、マイコン５によってすべて制御されるもので、ＩＤの送信においては、ＩＤの全ビットを送信するモードと、その一部のみを送信するモードとを有し、データ送信を行う際に、選択された一方のモードにしたがってＩＤを送信する。また、検出データの送信においては、検出データの全ビットを送信するモードと、マイコン５で検出データと比較用データとを比較演算した結果に基づくデータのみを送信するモードとを有し、データ送信を行う際に、選択された一方のモードにしたがって検出データを送信するものである。
【００２５】
各リーダ／ライタＲＷ１〜ＲＷｍの構成も同一であり、図示してはいないが、送信部、受信部、電源、パソコンＰＣ１〜ＰＣｍに接続するためのインターフェースを備え、また、アンテナ１０を備えている。前記電源はＤＣ電源であり、電池であってもよい。また、外部のパソコンＰＣ１〜ＰＣｍによる動作制御に換えて、リーダ／ライタＲＷ１〜ＲＷｍの内部にマイコンやメモリなどの制御に必要な構成を備えてもよい。前記送信部は、受信対象である無線タグＴ１〜Ｔｎに対して、コマンド信号を含むデータを送信する。そして、前記リーダ／ライタＲＷ１〜ＲＷｍは、無線タグＴ１〜Ｔｎの各送信モードに対応する各受信モードを有している。
【００２６】
続いて、本発明における無線タグの送信モードを示す図２に基づいて、無線タグシステムにおける送受信動作を説明する。ここで、送信モード１は、ＩＤ、検出データともに全てを送信するモードであり、送信モード２，３はともに、それらの一部のみを送信するモードである。そして、送信モード２は各無線タグＴ１〜Ｔｎのデータ送信開始時間の間隔ｔ２が送信モード１と同じであり、送信モード３は各無線タグＴ１〜Ｔｎのデータ送信開始時間の間隔ｔ３が送信モード１，２よりも短いものである。
【００２７】
まず、各無線タグＴ１〜Ｔｎが、送受信を行う各リーダ／ライタＲＷ１〜ＲＷｍからの送信モード１による送信要求のコマンド信号を受信すると、各無線タグＴ１〜Ｔｎのタイマ３は、受信のｔ１時間後から、データ送出に必要なｔ２×応答（送信）順位の時間に設定され、このタイマ３の設定時間になると、各無線タグＴ１〜Ｔｎは順次データ送信を行う。このデータ送信は、例えば、同期をとるためのプリアンブルビットＰｒｅに８ビット、ＩＤ及び検出データの始まりを示すスタートビットＳＴに２ビット、選択した送信モードを示す送信モードＭに２ビット、ＩＤと検出データＤにそれぞれ３２ビットを割り当てており、全ビット数は７６ビットとなる。前記時間間隔ｔ２には誤差により次の応答（送信）順位の無線タグからデータが重なって送信されることを防ぐための余裕時間ｔ４が含まれている。
【００２８】
ここで、ＩＤの送信について説明すると、各無線タグＴ１〜Ｔｎにおける最初の送信に際しては、各リーダ／ライタＲＷ１〜ＲＷｍからの送信モード１による送信要求のコマンド信号により、ＩＤの全ビットを送信する送信モード１が選択され、各タイマ３によって設定された送信開始時間がくると、プリアンブルビットＰｒｅ、スタートビットＳＴ、送信モードＭに続いて、ＩＤの送信を行う。各リーダ／ライタＲＷ１〜ＲＷｍは、所定の無線タグＴ１〜ＴｎからＩＤの全ビットを受信すると、接続したパソコンＰＣ１〜ＰＣｍにより、受信対象である各無線タグＴ１〜Ｔｍ毎に、応答（送信）順位とＩＤとを関連つけてメモリに格納する。
【００２９】
２回目以降の送信については、各無線タグＴ１〜Ｔｎは、第１回目の送信順と同一の順位で送信を行うので、リーダ／ライタＲＷ１〜ＲＷｍは、ＩＤが無くても送信順のみで無線タグＴ１〜Ｔｎを認識し、特定できるが、より信頼性を向上するために、コマンド信号により送信モードを送信モード２又は３に切り換えて、ＩＤの一部のみ、例えば最上位４ビットと最下位４ビットの８ビットのみを抽出して、送出し、リーダ／ライタＲＷ１〜ＲＷｍ側で照合して認識する。
【００３０】
ここにおいて、ＩＤの一部のみを送信する送信モード２，３には、ＩＤビットを全く送信しない場合も含まれるものである。応答（送信）順位とＩＤの対応は、上述のように最初のＩＤの全ビットの受信に対応づけてもよいが、最初からパソコンＰＣ１〜ＰＣｍまたはリーダ／ライタＲＷ１〜ＲＷｍ側のメモリにそのデータを格納しておき、対応づけてもよい。
【００３１】
また、リーダ／ライタＲＷ１〜ＲＷｍが、各無線タグＴ１〜Ｔｎの応答（送信）順位のみにより各無線タグＴ１〜Ｔｎを認識し、ＩＤを送信しない場合に、各無線タグＴ１〜Ｔｎの全ＩＤビット、あるいは一部のＩＤビットを送信するモードにおいて、ＩＤビットに換えて、乱数発生器などで作成したダミーデータあるいはＩＤ以外の検出データを送信し、リーダ／ライタＲＷ１〜ＲＷｍ側では、ＩＤとしては無視する一方、検出データについては、通常の検出データの受信と同様に取り扱うことによって、検出データの送信を極めて短時間で行うことができる。この際、ＩＤビットは不明状態で送信されるので、ＩＤを送信時に盗まれる虞がなく、取り付けた物品の盗難防止にも役立つものである。
【００３２】
この場合には、ダミーデータを送信する場合を、新たに第４の送信モードとして設定し、ＩＤ以外の検出データを送信する場合を、新たに第５の送信モードとして設定し、リーダ／ライタＲＷ１〜ＲＷｍはこれらの送信モード４，５に応じて処理することになる。なお、このように送信モードが５種類になると、送信モードＭに割り当てるビット数は２ビットでは足りず、３ビットが必要となる。
【００３３】
さらに、各無線タグＴ１〜Ｔｎの送信開始時間は、上述のように、応答（送信）順位から計算してもよいが、あらかじめタイマ設定時間を無線タグＴ１〜Ｔｎのメモリ４に格納しておき、それによってタイマ３を設定し、送信するようにしてもよい。無線タグＴ１〜Ｔｎは、リーダ／ライタＲＷ１〜ＲＷｍからの送信モードを含む送信要求のコマンド信号を受けて送信モードを決定し、送信するよう構成しているが、あらかじめ無線タグＴ１〜Ｔｎのメモリ４内に格納しておいた手順に基づいて、例えば１０回に１回は全ビット送信の送信モード１で送信するよう構成してもよい。
【００３４】
各無線タグＴ１〜Ｔｎの送信開始時間はリーダ／ライタＲＷ１〜ＲＷｍからのコマンド信号に含まれるプリアンブル（同期化）ビットに、内蔵のタイマ３を同期させて決定されるが、送信に先立って、各無線タグＴ１〜Ｔｎ間のタイマ３を同期させた後は、内蔵のタイマ３のみで決定されて無線タグＴ１〜Ｔｎから自発的に送信することができる。また、例えば１日に１回、リーダ／ライタＲＷ１〜ＲＷｍからのコマンド信号によりリセット（再同期）するよう構成してもよい。
【００３５】
続いて、センサ８で検出したデータの送信について説明する。メモリ４に、検出データと比較するための基準データである比較用データをあらかじめ格納しておく。演算は、加減算などの算術演算または、大小関係などの論理演算であり、マイコン５あるいは別途設ける専用の論理回路（図示せず）で行う。
【００３６】
温度検出の場合には、算術演算の結果はメモリ４内の比較用データとの差分値、論理演算の結果は温度の管理値内に入っているか否かの判定値であり、１〜３ビットで表現できる。具体的には、無線タグＴ１〜Ｔｎを取り付けた物品を、０〜５℃に保持することが重要であるとすると、この範囲内に保持されているか否かを示すだけであれば、範囲内の場合を「１」、範囲から外れている場合を「０」として、１ビットでの表現が可能である。
【００３７】
また、この物品の温度を、（１）０℃以上５℃以下の範囲、（２）０℃より下がった場合、（３）５℃を越え１０℃以下の範囲、（４）１０℃を越え２０℃以下の範囲、（５）２０℃より上がった場合、という５通りの状態で示すには、例えば、（１）の場合を「０」、（２）の場合を「１」、（３）の場合を「１０」、（４）の場合を「１１」、（５）の場合を「１００」というように、３ビットで対応できる。
【００３８】
検出データをセンサ８による検出後、短時間で送信する場合のみならず、ある期間毎や、ある時間毎の検出値の演算結果をメモリ４内に格納しておき、その後リーダ／ライタＲＷ１〜ＲＷｍでまとめて読み出す場合に適用しても、演算結果のビット数は小さいので、たとえメモリ４の容量が小さい場合でも、検出データを大量に格納することができ、また、データ送信時間も短縮される。
【００３９】
さらに、例えば、検出に際しては、１０回に１回は検出値そのものである全ビットをメモリ４に格納し、あるいは送信するように構成したり、また、管理範囲からはずれる異常値を検出した場合に、検出した異常値を検出時刻とともにメモリ４に格納し、あるいは送信するよう構成してもよい。
【００４０】
このように、送信モード２，３において、ＩＤを８ビット、検出データを３ビットにして送信した場合には、全送信ビット数は、送信モード１では７６ビットであるところ、２３ビットに削減できる。これを４８００ｂｐｓのマンチェスターコードで送信した場合、１回当たりの送信時間は約３１ｍ秒から９．６ｍ秒へと約１／３に短縮できる。したがって、電池の寿命は約３倍に伸びることになる。例えば容量２２０ｍＡｈのリチウムコイン型電池を用いて、毎分１回の間隔で送信し、送信中の消費電流が１５ｍＡの場合には、送信データが７６ビットの場合には、電池の寿命は約３年であるが、送信データが２３ビットであればその寿命は約１０年となる。なお、ＩＤのみ８ビットとした場合は、全送信ビット数を約２／３の５２ビットに削減することができ、また、検出データのみ３ビットとした場合には、全送信ビット数を約３／５の４７ビットに削減することができる。
【００４１】
また、図２で理解できるように、送信モード３では、送信開始時間の間隔ｔ３を、送信モード１，２の送信開始時間の間隔ｔ２に比較して短く設定したことにより、各送信モード１，２と比較して同一時間帯にｔ２／ｔ３倍の無線タグを割り当てることができる。
【００４２】
なお、本発明が適用可能な多元接続は、時分割多元接続（ＴＤＭＡ）に限らず、周波数分割多元接続（ＦＤＭＡ）や符号分割多元接続（ＣＤＭＡ）でもよい。また、本発明の無線タグＴ１〜Ｔｎは受信部２を有しないものでもよく、この場合は、リーダ／ライタＲＷ１〜ＲＷｍからコマンド信号を受信することができないので、ＩＤ送信開始時間や送信モードの選択手順は、あらかじめ各メモリ４に格納しておくものである。そして、無線タグＴ１〜Ｔｎが受信部２を備えていない場合には、リーダ／ライタＲＷ１〜ＲＷｍの送信機能は不要となる。さらに、無線タグＴ１〜Ｔｎからリーダ／ライタＲＷ１〜ＲＷｍへの送信は、他の無線タグＴ１〜Ｔｎを介して送信する、いわゆるマルチホップ方式を採用してもよい。
【００４３】
また、無線タグＴ１〜Ｔｎが取り付けた物体の存在や位置のみを検知することを目的とする場合には、センサ８及びＡＤ変換器７は不要となる。さらに、本発明に係る無線送信機は無線タグＴ１〜Ｔｎ以外にも適用可能である。さらにまた、無線受信機は、無線送信機の構成及び機能に適合するよう選択されるもので、無線送信機が受信機能を有しない場合には、送信機能は不要であり、受信機能を備えていれば足りる。したがって、無線受信機は、リーダ／ライタＲＷ１〜ＲＷｍのような送信機能を有するものに限られない。
【００４４】
さらに、図３は本発明の他の実施形態を示すもので、本発明の請求項３に係る無線装置をリーダ/ライタに適用した場合の無線送受信システムの構成を示すブロック図である。本実施形態では、無線受信機であるリーダ／ライタＲＷ１１と少なくとも一つの無線タグＴ１を備える。この無線タグＴ１は、上述した無線タグＴ１と同一構成で、アンテナ９を有している。
【００４５】
リーダ／ライタＲＷ１１は、送信部１１、受信部１２，タイマ１３、記憶部であるメモリ１４、制御部であるマイコン１５、電源電池１６、ＡＤ変換器１７、センサ１８、アンテナ１９を備えている。前記メモリ１４には、センサ１８の検出値をＡＤ変換器１７でデジタル変換した検出データあるいは検出データと比較演算するための基準データである比較用データとマイコン１５で比較演算した後の比較結果データ、無線タグＴ１から受信したデータを格納する。
【００４６】
図には示していないが無線タグＴ１は一つに限られず、例えばリーダ／ライタＲＷ１１は移動する物品に取り付けられていて、無線タグＴ１とはその通信可能な距離以上離れた場所に移動すると、そこにある別の無線タグＴ２からのＩＤ、位置、時刻などのデータを受信して前記メモリ１４内に格納する。前記メモリ１４内に格納されたデータはパソコンＰＣ１に接続されたデータ入出力インターフェース２０を介しパソコンＰＣ１側に読み取られる。パソコンＰＣ１へのデータ転送は無線で行われても良い。
【００４７】
このように、本発明は、上述した各実施形態に何ら限定されるものではなく、例えば、リーダ／ライタＲＷ１１は、データ入出力インターフェース２０を除き、無線タグＴ１〜Ｔｎと同一構成なので、この無線タグＴ１〜Ｔｎをリーダ／ライタＲＷ１１として使用することもできるなど、種々の変更が可能である。
【図面の簡単な説明】
【００４８】
【図１】無線タグシステムの構成を示すブロック図。
【図２】同じく送信モードを示す説明図。
【図３】無線タグシステムの他の実施形態における構成を示すブロック図。
【符号の説明】
【００４９】
１，１１    送信部
２，１２    受信部
３，１３    タイマ
４，１４    メモリ
５，１５    マイコン
６，１６    電源電池
７，１７    ＡＤ変換器
８，１８    センサ
９，１０，１９    アンテナ
２０   データ入出力インターフェース
Ｔ１〜Ｔｎ    無線タグ
ＲＷ１〜ＲＷｍ，ＲＷ１１    リーダ／ライタ
ＰＣ１〜ＰＣｍ    パソコン
【図１】
2006108755.tif 000003
【図２】
2006108755.tif 000004
【図３】
2006108755.tif 000005